Podtech/llm-jp-corpus-v4-ja_patent huggingface dataset:
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
遊技に使用するための遊技価値をベットするベット手段と、
遊技価値をベットした後、スタートスイッチの操作に基づき、所定の通常当選役が含まれ特定当選役が含まれない通常当選種別、および、前記特定当選役が含まれる特定当選種別を含む当選種別の当否を決定する当選種別抽選手段と、
前記スタートスイッチの操作に応じて、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
前記複数のリールの停止態様に基づいて、前記当選種別抽選手段により決定された当選種別に含まれる当選役の入賞の有無を判定する判定手段と、
所定の契機で、特典を付与するか否かを決定する特典付与手段と、
前記当選種別抽選手段により決定された前記当選種別に含まれる所定の当選役の入賞を補助する補助演出を実行する演出制御手段と、
を備え、
前記特典付与手段は、
前記特定当選役が入賞した場合に前記特典を付与する場合があり、
前記演出制御手段は、
前記当選種別抽選手段により前記通常当選種別が決定された場合には前記補助演出を不実行とし、前記当選種別抽選手段により前記特定当選種別が決定された場合には前記特定当選役の入賞を補助する前記補助演出を実行する場合と、前記補助演出を不実行とする場合とがあることを特徴とする遊技機。
【請求項２】
前記通常当選役および前記特定当選役に対応する図柄組み合わせは、前記ストップスイッチが所定の操作態様で操作された場合、最後に停止するリールに表示される図柄以外の図柄が同一であることを特徴とする請求項１に記載の遊技機。
【請求項３】
通常演出状態、および、前記通常演出状態よりも遊技者に有利な特定演出状態を含む複数の演出状態のいずれかに演出状態を移行させる演出状態制御手段を備え、
前記特典付与手段は、
前記特定演出状態において前記特定当選種別が決定された場合には前記特定演出状態を継続させる前記特典を付与することがあり、
前記特定演出状態において前記通常当選種別が決定された場合には前記特定演出状態を終了させることがあることを特徴とする請求項１または２に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技に使用するための遊技価値をベットするベット手段と、遊技価値をベットした後、スタートスイッチの操作に基づき、所定の通常当選役が含まれ特定当選役が含まれない通常当選種別、および、前記特定当選役が含まれる特定当選種別を含む当選種別の当否を決定する当選種別抽選手段と、前記スタートスイッチの操作に応じて、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、前記複数のリールの停止態様に基づいて、前記当選種別抽選手段により決定された当選種別に含まれる当選役の入賞の有無を判定する判定手段と、所定の契機で、特典を付与するか否かを決定する特典付与手段と、前記当選種別抽選手段により決定された前記当選種別に含まれる所定の当選役の入賞を補助する補助演出を実行する演出制御手段と、を備え、前記特典付与手段は、前記特定当選役が入賞した場合に前記特典を付与する場合があり、前記演出制御手段は、前記当選種別抽選手段により前記通常当選種別が決定された場合には前記補助演出を不実行とし、前記当選種別抽選手段により前記特定当選種別が決定された場合には前記特定当選役の入賞を補助する前記補助演出を実行する場合と、前記補助演出を不実行とする場合とがある。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
第１状態において、第２状態となることを所定の演出要素の態様を変化させることで示唆する示唆演出を実行可能な示唆演出実行手段と、
第２状態において、特定演出を実行可能な特定演出実行手段と、
遊技媒体が進入可能な開状態に変化可能な可変手段と、
前記有利状態中に、前記可変手段を前記開状態に変化させるラウンド遊技を所定回数行なうことが可能な可変制御手段と、
前記ラウンド遊技の実行回数を報知する特定表示を実行可能な報知手段と、を備え、
前記可変制御手段は、遊技媒体が進入可能な第１ラウンド遊技と、第１ラウンド遊技よりも不利な開状態である第２ラウンド遊技と、を実行可能であり、
前記報知手段は、前記第１ラウンド遊技が実行されているときに前記特定表示を実行し、前記第２ラウンド遊技が実行されているときに前記特定表示の実行を制限可能であり、
第１状態は、長さが異なる複数の期間があり、
第１状態の期間に応じて、前記所定の演出要素の態様を異ならせることが可能であり、
第１状態の期間において変化した前記所定の演出要素の態様に応じて、当該第１状態の期間が終わったあとの第２状態において、前記特定演出が実行される割合を異ならせることが可能である、遊技機。
【手続補正２】
【補正対象書類名】明細書
【補正対象項目名】０００６
【補正方法】変更
【補正の内容】
【０００６】
（Ａ）  遊技を行なうことが可能な遊技機であって、
第１状態において、第２状態となることを所定の演出要素の態様を変化させることで示唆する示唆演出を実行可能な示唆演出実行手段と、
第２状態において、特定演出を実行可能な特定演出実行手段と、
遊技媒体が進入可能な開状態に変化可能な可変手段と、
前記有利状態中に、前記可変手段を前記開状態に変化させるラウンド遊技を所定回数行なうことが可能な可変制御手段と、
前記ラウンド遊技の実行回数を報知する特定表示を実行可能な報知手段と、を備え、
前記可変制御手段は、遊技媒体が進入可能な第１ラウンド遊技と、第１ラウンド遊技よりも不利な開状態である第２ラウンド遊技と、を実行可能であり、
前記報知手段は、前記第１ラウンド遊技が実行されているときに前記特定表示を実行し、前記第２ラウンド遊技が実行されているときに前記特定表示の実行を制限可能であり、
第１状態は、長さが異なる複数の期間があり、
第１状態の期間に応じて、前記所定の演出要素の態様を異ならせることが可能であり、
第１状態の期間において変化した前記所定の演出要素の態様に応じて、当該第１状態の期間が終わったあとの第２状態において、前記特定演出が実行される割合を異ならせることが可能である、遊技機。
（１）  遊技を行なうことが可能な遊技機（例えば、パチンコ遊技機１等）であって、
第１状態（例えば、図１９（Ａ）〜（Ｄ）の第３遊技ラウンド等）において、第２状態（例えば、図１９（Ａ）〜（Ｄ）の第４遊技ラウンド）となることを所定の演出要素（例えば、味方キャラ、敵キャラ、味方キャラの体力等）の態様（例えば、種類、数量、動作等）を変化（例えば、味方キャラと敵キャラの攻防における敵キャラの撃退、味方キャラの体力値の減少等）させることで示唆する示唆演出（例えば、図２０、図２１、図２３（Ａ１）〜図２３（Ｃ１）、図２５（Ａ２）〜図２６（Ｉ２）等に示したバトル演出等）を実行可能な示唆演出実行手段（例えば、演出制御用マイクロコンピュータ１００等）と、
第２状態において、特定演出（例えば、図２０、図２２、図２３（Ｄ１）〜図２４（Ｐ１）、図２６（Ｊ２）〜図２６（Ｐ２）等に示した上乗せチャンス演出、上乗せ成功演出、上乗せガセ演出等）を実行可能な特定演出実行手段（例えば、演出制御用マイクロコンピュータ１００等）と、
を備え、
第１状態は、長さが異なる複数の期間（例えば、図１９（Ａ）の第４確変大当りにおける開放３回分、図１９（Ｂ）の第５確変大当りにおける開放６回分、図１９（Ｃ）の第６確変大当りにおける開放９回分、図１９（Ｄ）の第７確変大当りにおける開放１３回分等）があり、
第１状態の期間に応じて、前記所定の演出要素（例えば、味方キャラの体力等）の態様（例えば、味方キャラの残体力等）を異ならせることが可能であり（例えば、図２０に示すように、例えば、第１状態の期間が開放３回分の場合（第４確変大当りの場合）には残体力は４か３であり、開放６回分の場合（第５確変大当りの場合）には残体力は４か３か２であり、開放９回分の場合（第６確変大当りの場合）には味方キャラの残体力は３か２か１であり、開放１２回分の場合（第７確変大当りの場合）には残体力は１であり）、
第１状態の期間において変化（例えば、減少等）した前記所定の演出要素（例えば、味方キャラの体力等）の態様（例えば、味方キャラの残体力等）に応じて、当該第１状態の期間が終わったあとの第２状態において、前記特定演出が実行される割合を異ならせることが可能である（例えば、図２０に示すように、上乗せ成功演出が１回以上実行される割合は、残体力が２以上の場合には１００％であるが、残体力の数が１の場合には１００％ではない。また、上乗せチャンス演出（上乗せ成功演出＋上乗せガセ演出）が４回以上実行される割合は、残体力が４の場合には１００％であるが、残体力が３以下の場合には０％である。また、上乗せガセ演出が１回実行される割合も、残体力に応じて異なる）、遊技機。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
遊技球が流下可能な球流下路を有する遊技機であって、
前記球流下路を構成する流下路構成壁は、遊技球が転動する底壁と、前記底壁から起立する起立壁と、を有し、
前記起立壁には、前記球流下路を流下する遊技球の一部分を受容可能な球受容部が設けられ、
前記底壁は、前記起立壁から離れた側から前記起立壁側に向かって下るように傾斜している遊技機。
【手続補正２】
【補正対象書類名】明細書
【補正対象項目名】０００６
【補正方法】変更
【補正の内容】
【０００６】
第１の手段は、遊技球が流下可能な球流下路を有する遊技機であって、前記球流下路を構成する流下路構成壁は、遊技球が転動する底壁と、前記底壁から起立する起立壁と、を有し、前記起立壁には、前記球流下路を流下する遊技球の一部分を受容可能な球受容部が設けられ、前記底壁は、前記起立壁から離れた側から前記起立壁側に向かって下るように傾斜している遊技機である。
【手続補正書】
【提出日】令和2年3月19日(2020.3.19)
【手続補正１】
【補正対象書類名】明細書
【補正対象項目名】００１４
【補正方法】変更
【補正の内容】
【００１４】
微細突起具１の突起部３に関し、突起部３の数、突起部３の配置及び突起部３の形状に、特に制限はないが、微細突起ユニット１０では、図１及び図２に示すように、シート状の基底２の上面に、９個の円錐台状の突起部３が配列されている。配列された９個の突起部３は、後述する基材シート２Ａを搬送する方向（基材シート２Ａの長手方向に対応）である第２方向（図中のＹ方向に相当）に３行、搬送する方向である第２方向と直交する方向及び搬送される基材シート２Ａの幅方向である第１方向（図中のＸ方向に相当）に３列に配されている。
尚、図４（ａ）は、微細突起具１の有する突起部３の内の１個の突起部３に着目した微細突起具１の斜視図であり、図４（ｂ）は、図４（ａ）に示すＩＶ−ＩＶ線断面図である。図４（ａ）に示す微細突起具１は、シート状の基底２と、基底２の上面（基底２におけるベース部品４との対向面とは反対側の面）上に立設する１個の円錐状の突起部３とを有する。微細突起具１は、先端側に開孔部を有していてもよいが、微細突起ユニット１０では、図４（ｂ）に示すように、開孔部を有しておらず、基底２を貫通して突起部３の内部にまで亘る中空の空間３ｋが形成された形態となっている。微細突起ユニット１０では、突起部３の内部の空間３ｋが、突起部３の外形形状に対応した円錐状に形成されている。尚、突起部３は、微細突起ユニット１０では、円錐状であるが、円錐状の形状以外に、円錐台状、円柱状、角柱状、角錐状、角錐台状等であってもよい。
【手続補正２】
【補正対象書類名】明細書
【補正対象項目名】００８２
【補正方法】変更
【補正の内容】
【００８２】
製造装置１００では、部材カット部４００は、図６及び図１０に示すように、ベース部品４を固定するベース部品固定部４０１と、ベース部品４が接合された基材シート２Ａを切断するカット部４０２と、ベース部品４が接合された基材シート２Ａを挟む第２上側開口プレート４１２Ｕ及び第２下側開口プレート４１３Ｄとを有する。ベース部品固定部４０１は、ベース部品４の全体の外形形状に対応する形状の凹部４０３を有している。凹部４０３は、部材接合部３００の有するベース部品固定部３０１の凹部３０３と同様に、製造装置１００では、底部４１が円形の円筒状に嵌合する形状に形成されている。
【手続補正３】
【補正対象書類名】明細書
【補正対象項目名】０１０７
【補正方法】変更
【補正の内容】
【０１０７】
また、微細突起ユニット１０の製造方法では、微細突起具形成工程において、基材シート２Ａの一面２Ｄ側（下面側）に配された第２開口プレート１３Ｄ及び基材シート２Ａの他面２Ｕ側（上面側）に配された開口プレート１２Ｕを用い、開口プレート１２Ｕを基材シート２Ａの上方に移動させ且つ第２開口プレート１３Ｄを基材シート２Ａの下方に移動させて、開口プレート１２Ｕと第２開口プレート１３Ｄとで、基材シート２Ａを挟んだ状態で突起部３を形成しても良い。そして、微細突起具形成工程の後、第２開口プレート１３Ｄを下方に移動させ且つ開口プレート１２Ｕを上方に移動させ、突起部３が形成された基材シート２Ａを次の工程へ搬送しても良い。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
第１部材と第２部材とが間隔をあけて配置される離間状態と、前記離間状態よりも前記第１部材と前記第２部材の間隔が狭まった近接状態と、に変化する遊技機であって、
前記第１部材に接続され、前記第２部材側に延びるケーブルと、
前記第１部材に設けられ、前記第２部材側に向かうにつれて前記第１部材又は前記第２部材の移動方向と直交する方向で前記第１部材から離れるように傾斜する誘導傾斜面を有し、前記ケーブルを前記第１部材と前記第２部材との間の隙間から遠ざける方向に向かわせるケーブル誘導部と、を備える遊技機。
【手続補正２】
【補正対象書類名】明細書
【補正対象項目名】０００６
【補正方法】変更
【補正の内容】
【０００６】
第１の手段は、第１部材と第２部材とが間隔をあけて配置される離間状態と、前記離間状態よりも前記第１部材と前記第２部材の間隔が狭まった近接状態と、に変化する遊技機であって、前記第１部材に接続され、前記第２部材側に延びるケーブルと、前記第１部材に設けられ、前記第２部材側に向かうにつれて前記第１部材又は前記第２部材の移動方向と直交する方向で前記第１部材から離れるように傾斜する誘導傾斜面を有し、前記ケーブルを前記第１部材と前記第２部材との間の隙間から遠ざける方向に向かわせるケーブル誘導部と、を備える遊技機である。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
本体ケース（１）に設けられた投光ヘッド（７）の内部に１以上の発光源（１１）が配
置されており、
投光ヘッド（７）の外面に設けられた投光部（１５）を肌面に密着させた状態で発光源
（１１）を点灯させて、投光部（１５）から放射された光で肌面にむだ毛処理が施される
光照射型の美容器具であって、
投光部（１５）は、放射面積が大小に異なる２以上の照射面（１０１・１０２・１０３
）を備えており、
発光源（１１）で発光した光が、前記照射面（１０１・１０２・１０３）のうち、選択
された照射面（１０１・１０２・１０３）から放射されてむだ毛処理が施されることを特
徴とする光照射型の美容器具。
【請求項２】
投光部（１５）を構成する照射面（１０１・１０２・１０３）のうち、少なくともいず
れかひとつの照射面（１０２）における光の放射面積が、他の照射面（１０１・１０３）
における光の放射面積より小さく設定されている請求項１に記載の光照射型の美容器具。
【請求項３】
投光ヘッド（７）の周面に、各照射面（１０１・１０２・１０３）が配置されており、
各照射面（１０１・１０２・１０３）から放射される光の照射方向が、それぞれ異なる
方向に設定されている請求項２に記載の光照射型の美容器具。
【請求項４】
投光ヘッド（７）の周面に、少なくとも２個の照射面（１０１・１０２）が設けられて
おり、
前記照射面（１０１・１０２）が隣接配置されて、各照射面（１０１・１０２）から放
射される光の照射方向が同一に設定されている請求項１に記載の光照射型の美容器具。
【請求項５】
少なくとも２個の照射面（１０１・１０２）の内部に、それぞれ発光源（１１・１１）
が配置されており、
各発光源（１１・１１）が全点灯される状態と、部分点灯される状態とに切り替えて、
むだ毛処理を施すことができる請求項４に記載の光照射型の美容器具。
【請求項６】
投光ヘッド（７）で往復スライド可能に案内支持されるスライド投光体（１６３）を備
えており、
スライド投光体（１６３）に、いずれかひとつの照射面（１０１・１０２）が設けられ
、投光ヘッド（７）に、残る照射面（１０１・１０２）が設けられており、
スライド投光体（１６３）は、いずれかひとつの照射面（１０１・１０２）が残る照射
面（１０１・１０２）と面一になる収納位置と、いずれかひとつの照射面（１０１・１０
２）が残る照射面（１０１・１０２）より外側方へ突出する使用位置との間で変位可能で
あり、
スライド投光体（１６３）が収納位置にある状態では両発光源（１１・１１）が点灯さ
れ、スライド投光体（１６３）が使用位置にある状態では、スライド投光体（１６３）に
設けられた照射面（１０１・１０２）に対応する発光源（１１）のみが点灯される請求項
５に記載の光照射型の美容器具。
【請求項７】
投光ヘッド（７）に、本体ケース（１）の中心軸線に対して傾斜する傾斜面（１５７）
が形成され、該傾斜面（１５７）に、照射面（１０１・１０２）が隣接配置されており、
照射面（１０１・１０２）の近傍には、それぞれ肌面が接触したことを検知する人体セ
ンサ（１３１）が配置されており、
人体センサ（１３１）の検知結果に基づき、各発光源（１１・１１）が全点灯され、ま
たは、各照射面（１０１・１０２）に対応する発光源（１１）のみが点灯される請求項５
に記載の光照射型の美容器具。
【請求項８】
投光ヘッド（７）の周面に配置された広域照射面（１０１）の内部に発光源（１１）が
配置されており、
本体ケース（１）で変位可能に支持されて、広域照射面（１０１）の外面の一部を遮蔽
ないし開放する遮蔽体（１６７）が設けられており、
遮蔽体（１６７）が広域照射面（１０１）の外面を遮蔽した状態において、遮蔽体（１
６７）で遮蔽されていない広域照射面（１０１）が、広域照射面（１０１）よりも光の放
射面積が小さな狭域照射面（１０２）として機能している請求項２に記載の光照射型の美
容器具。
【請求項９】
投光ヘッド（７）の周面に広域照射面（１０１）が配置され、広域照射面（１０１）が
配置された周面の反対側の周面に、広域照射面（１０１）よりも光の放射面積が小さな狭
域照射面（１０２）が配置されており、
広域照射面（１０１）と狭域照射面（１０２）の内部に、それぞれ発光源（１１・１１
）が配置され、各発光源（１１・１１）の間に、発光源（１１）に駆動電流を供給する制
御基板（４）が配置されており、
各発光源（１１・１１）が、制御基板（４）から各発光源（１１・１１）へ向かって突
設した光源ホルダー（１１５）で固定支持されている請求項３に記載の光照射型の美容器
具。
【請求項１０】
光源ホルダー（１１５）が、導電性素材で形成されて発光源（１１）と制御基板（４）
とを電気的に導通する導通体を兼ねている請求項９に記載の光照射型の美容器具。
【請求項１１】
本体ケース（１）の内部に、発光源（１１・１１）を冷却する送風ユニット（１０６）
が配置されており、
送風ユニット（１０６）が送風ファン（１０７）およびファンモーター（１０９）を備
えており、
送風ファン（１０７）およびファンモーター（１０９）は、制御基板（４）に形成され
た表裏貫通状の装着開口（４ｂ）に装着されて、送風ファン（１０７）で送給される冷却
風が、制御基板（４）の表裏面に沿って各発光源（１１・１１）に送給される請求項９ま
たは１０に記載の光照射型の美容器具。
【請求項１２】
本体ケース（１）の内部に、発光源（１１・１１）に駆動電流を供給するコンデンサー
（１４）が配置されており、
制御基板（４）が本体ケース（１）の内部に、投光ヘッド（７）を含む本体ケース（１
）の内部空間を２分する状態で配置されており、
コンデンサー（１４）が、制御基板（４）に形成された表裏貫通状の装着開口（４ａ）
に装着されて、制御基板（４）の表裏に露出されている請求項９から１１のいずれかひと
つに記載の光照射型の美容器具。
【請求項１３】
発光源（１１）が直線管状に形成されて、該発光源（１１）の中心軸線が送風ユニット
（１０６）の送風方向と直交する向きに配置されており、
送風ユニット（１０６）と発光源（１１・１１）との間に、送風ユニット（１０６）か
ら送給された冷却風を各発光源（１１・１１）の一側端へ向かって変向案内する変向構造
（１２１）が設けられており、
各発光源（１１・１１）の一側端に達した冷却風を、各発光源（１１・１１）の他側端
へ向かって流動させて、各発光源（１１・１１）を冷却している請求項１１または１２に
記載の光照射型の美容器具。
【請求項１４】
広域照射面（１０１）および／または狭域照射面（１０２）の近傍に、肌面に向かって
風を吹き出す送風口（１２８）が設けられており、
送風ユニット（１０６）で送給され各発光源（１１・１１）に至る前の冷却風の一部が
、送風口（１２８）から吹き出される請求項１１から１３のいずれかひとつに記載の光照
射型の美容器具。
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、選択当選役を含み所定の正解操作態様による操作が前記選択当選役の入賞条件として設定された選択当選種別を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
前記選択当選種別の当選時に前記正解操作態様を報知する補助演出を実行する補助演出報知手段と、
通常演出状態、前記通常演出状態より遊技者に有利な特定演出状態を含む複数種類の演出状態のいずれかに演出状態を移行させる演出状態制御手段と、
を備え、
前記特定演出状態は、少なくとも第１演出状態と第２演出状態とを含み、前記第１演出状態における補助演出の対象となる当選種別の数は、前記第２演出状態における補助演出の対象となる当選種別の数より少ない遊技機。
【請求項２】
前記第１演出状態における補助演出の対象となる当選種別は、前記正解操作態様による操作を行うことで入賞可能な小役の払出枚数に対し、前記正解操作態様以外の不正解操作態様による操作を行うことで入賞可能な小役の最小の払出枚数が１／２倍以上である請求項１に記載の遊技機。
【請求項３】
前記第２演出状態において追加される補助演出の対象となる当選種別の前記正解操作態様による操作を行うことで入賞可能な小役の払出枚数と前記不正解操作態様による操作を行うことで入賞可能な小役の最小の払出枚数との差である払出差分は、前記第１演出状態における補助演出の対象となる当選種別の前記払出差分より大きい請求項１または２に記載の遊技機。
【請求項４】
スタートスイッチの操作に基づき、選択当選役を含み所定の正解操作態様による操作が前記選択当選役の入賞条件として設定された選択当選種別を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
前記選択当選種別の当選時に前記正解操作態様を報知する補助演出を実行する補助演出報知手段と、
通常演出状態、前記通常演出状態より遊技者に有利な特定演出状態を含む複数種類の演出状態のいずれかに演出状態を移行させる演出状態制御手段と、
を備え、
前記選択当選種別は、第１当選種別と第２当選種別とを含み、
前記特定演出状態は、少なくとも第１演出状態と第２演出状態とを含み、
前記第１演出状態における補助演出の対象となる当選種別は、前記第１当選種別を含むが前記第２当選種別を含まず、前記第２演出状態における補助演出の対象となる当選種別は、前記第１当選種別および前記第２当選種別を含む遊技機。
【手続補正２】
【補正対象書類名】明細書
【補正対象項目名】００１０
【補正方法】変更
【補正の内容】
【００１０】
上記課題を解決するために、本発明の遊技機は、スタートスイッチの操作に基づき、選択当選役を含み所定の正解操作態様による操作が前記選択当選役の入賞条件として設定された選択当選種別を含む複数種類の当選種別のいずれかを当選種別抽選により決定する当選種別抽選手段と、前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、前記選択当選種別の当選時に前記正解操作態様を報知する補助演出を実行する補助演出報知手段と、通常演出状態、前記通常演出状態より遊技者に有利な特定演出状態を含む複数種類の演出状態のいずれかに演出状態を移行させる演出状態制御手段と、を備え、前記特定演出状態は、少なくとも第１演出状態と第２演出状態とを含み、前記第１演出状態における補助演出の対象となる当選種別の数は、前記第２演出状態における補助演出の対象となる当選種別の数より少ない。
【手続補正３】
【補正対象書類名】明細書
【補正対象項目名】００１１
【補正方法】変更
【補正の内容】
【００１１】
前記第１演出状態における補助演出の対象となる当選種別は、前記正解操作態様による操作を行うことで入賞可能な小役の払出枚数に対し、前記正解操作態様以外の不正解操作態様による操作を行うことで入賞可能な小役の最小の払出枚数が１／２倍以上であるとしてもよい。
【手続補正４】
【補正対象書類名】明細書
【補正対象項目名】００１２
【補正方法】変更
【補正の内容】
【００１２】
前記第２演出状態において追加される補助演出の対象となる当選種別の前記正解操作態様による操作を行うことで入賞可能な小役の払出枚数と前記不正解操作態様による操作を行うことで入賞可能な小役の最小の払出枚数との差である払出差分は、前記第１演出状態における補助演出の対象となる当選種別の前記払出差分より大きいとしてもよい。
【手続補正５】
【補正対象書類名】明細書
【補正対象項目名】００１３
【補正方法】変更
【補正の内容】
【００１３】
上記課題を解決するために、本発明の他の遊技機は、スタートスイッチの操作に基づき、選択当選役を含み所定の正解操作態様による操作が前記選択当選役の入賞条件として設定された選択当選種別を含む複数種類の当選種別のいずれかを当選種別抽選により決定する当選種別抽選手段と、前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、前記選択当選種別の当選時に前記正解操作態様を報知する補助演出を実行する補助演出報知手段と、通常演出状態、前記通常演出状態より遊技者に有利な特定演出状態を含む複数種類の演出状態のいずれかに演出状態を移行させる演出状態制御手段と、を備え、前記選択当選種別は、第１当選種別と第２当選種別とを含み、前記特定演出状態は、少なくとも第１演出状態と第２演出状態とを含み、前記第１演出状態における補助演出の対象となる当選種別は、前記第１当選種別を含むが前記第２当選種別を含まず、前記第２演出状態における補助演出の対象となる当選種別は、前記第１当選種別および前記第２当選種別を含む。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
動画を構成する複数のフレーム画像に対して仮想光源によるリライティング効果を付与する画像処理を行う画像処理装置であって、
動画撮影時の撮影画角の変動に関する撮影情報を取得する取得手段と、
前記複数のフレーム画像にリライティング効果を付与する画像処理を行う処理手段と、前記処理手段による画像処理に用いるパラメータを設定する設定手段と、を備え、
前記設定手段は、前記複数のフレーム画像のうちで撮影画角の変動が生じた期間のフレーム画像に対して、少なくとも前記撮影情報を用いて、前記パラメータを設定することを特徴とする画像処理装置。
【請求項２】
前記撮影画角の変動は、前記動画を撮影する撮影装置のズーム動作またはパンニング動作によって生じる変動であることを特徴とする請求項１に記載の画像処理装置。
【請求項３】
前記設定手段が設定するパラメータは、前記仮想光源の位置、発光強度、発光角度および種類の少なくとも１つを含むことを特徴とする請求項１または請求項２に記載の画像処理装置。
【請求項４】
撮影画角の変動が前記動画を撮影する撮影装置のズーム動作によって生じる場合は、前記仮想光源の位置を変えないモードと、前記仮想光源の位置を被写体に対して相対的に遠くするモードを選択可能とする選択手段を備えることを特徴とする請求項１から請求項３までの何れか１項に記載の画像処理装置。
【請求項５】
撮影画角の変動が前記動画を撮影する撮影装置のパンニング動作によって生じる場合は、前記仮想光源の位置を変えないモードと、前記仮想光源の位置をパンニング動作に連動して変更するモードと、前記仮想光源の位置を変更せずに発光角度をパンニング動作に連動して変更するモードを選択可能とする選択手段を備えることを特徴とする請求項１から請求項４までの何れか１項に記載の画像処理装置。
【請求項６】
動画を構成する複数のフレーム画像に対して仮想光源によるリライティング効果を付与する画像処理方法であって、
動画撮影時の撮影画角の変動に関する撮影情報を取得する取得ステップと、
前記複数のフレーム画像にリライティング効果を付与する画像処理を行う処理ステップと、
前記処理ステップでの画像処理に用いるパラメータを設定する設定ステップと、を備え、
前記設定ステップでは、前記複数のフレーム画像のうちで撮影画角の変動が生じた期間のフレーム画像に対して、少なくとも前記撮影情報を用いて、前記パラメータを設定することを特徴とする画像処理方法。
【請求項７】
コンピュータを請求項１乃至５のいずれか１項の画像処理装置として機能させる、コンピュータが実行可能なプログラム。
【手続補正２】
【補正対象書類名】明細書
【補正対象項目名】発明の名称
【補正方法】変更
【補正の内容】
【発明の名称】画像処理装置および画像処理方法、プログラム
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
撮像装置の駆動部の駆動に関する条件である駆動条件を取得する取得手段と、
前記駆動条件に応じて、前記駆動部の駆動回数を補正する補正手段と、
外部装置からの前記駆動部の駆動回数を示す情報の取得要求に応じて、前記補正手段により補正された、前記駆動部の駆動回数を示す情報を出力する出力手段とを有し、
前記補正手段は、前記駆動条件に応じて、前記駆動回数を、実際の駆動回数よりも多くなるように補正することを特徴とする撮像装置。
【請求項２】
前記取得手段は、前記駆動部の駆動量、前記駆動部の駆動速度、前記駆動部の温度、前記駆動部の駆動の種別に応じた負荷の少なくともいずれか１つを、前記駆動条件として取得することを特徴とする請求項１に記載の撮像装置。
【請求項３】
前記補正手段は、前記駆動部の駆動の度に、前記駆動回数を補正することを特徴とする請求項１または２に記載の撮像装置。
【請求項４】
前記駆動部に対する連続する複数の駆動要求が受信された場合、前記複数の駆動要求に係る駆動が逐次的に実行される場合の前記駆動部の駆動負荷と、前記複数の駆動要求に係る駆動が連結された１つの駆動が実行される場合の前記駆動部の駆動負荷と、の比較の結果に応じた駆動方法で、前記駆動部を駆動するよう制御する制御手段を更に有することを特徴とする請求項１乃至３の何れか１項に記載の撮像装置。
【請求項５】
前記出力手段は、更に、外部装置からの要求に応じて、前記駆動部の駆動回数の上限を示す情報を、前記外部装置に送信することを特徴とする請求項１乃至４の何れか１項に記載の撮像装置。
【請求項６】
前記取得手段は、前記撮像装置の姿勢駆動部である前記駆動部の駆動に関する条件および前記撮像装置のレンズ駆動部である前記駆動部の駆動に関する条件のいずれか１つを前記駆動条件として取得することを特徴とする請求項１乃至５の何れか１項に記載の撮像装置。
【請求項７】
前記実際の駆動回数とは、前記駆動部が駆動を開始して停止するまでを、１回の駆動として数えた駆動回数であることを特徴とする請求項１乃至６の何れか１項に記載の撮像装置。
【請求項８】
撮像装置の制御方法であって、
撮像装置の駆動部の駆動に関する条件である駆動条件を取得する取得ステップと、
前記駆動条件に応じて、前記駆動部の駆動回数を補正する補正ステップと、
外部装置からの前記駆動部の駆動回数を示す情報の取得要求に応じて、前記補正ステップにおいて補正された、前記駆動部の駆動回数を示す情報を出力する出力ステップとを含み、
前記補正ステップは、前記駆動条件に応じて、前記駆動回数を、実際の駆動回数よりも多くなるように補正することを特徴とする撮像装置の制御方法。
【請求項９】
コンピュータを、請求項１乃至７の何れか１項に記載の撮像装置の各手段として機能させるためのプログラム。
【手続補正２】
【補正対象書類名】明細書
【補正対象項目名】発明の名称
【補正方法】変更
【補正の内容】
【発明の名称】撮像装置、撮像装置の制御方法及びプログラム
【手続補正３】
【補正対象書類名】明細書
【補正対象項目名】０００１
【補正方法】変更
【補正の内容】
【０００１】
本発明は、撮像装置、撮像装置の制御方法及びプログラムに関する。
【手続補正４】
【補正対象書類名】明細書
【補正対象項目名】０００６
【補正方法】変更
【補正の内容】
【０００６】
本発明の撮像装置は、撮像装置の駆動部の駆動に関する条件である駆動条件を取得する取得手段と、前記駆動条件に応じて、前記駆動部の駆動回数を補正する補正手段と、外部装置からの前記駆動部の駆動回数を示す情報の取得要求に応じて、前記補正手段により補正された、前記駆動部の駆動回数を示す情報を出力する出力手段とを有し、前記補正手段は、前記駆動条件に応じて、前記駆動回数を、実際の駆動回数よりも多くなるように補正することを特徴とする。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
ハンドルと、前記ハンドルの操作に応じて遊技球が流下可能な遊技領域内へ遊技球を打ち込むための発射手段とが設けられているとともに、
前記発射手段の近傍で、遊技球の発射方向での下流側となる位置に、糸状部材が付着された遊技球が前記発射手段から発射された際、前記糸状部材と自身との摩擦により前記糸状部材を切断する糸切り手段が設けられた遊技機であって、
前記糸切り手段が、前後方向を軸として回動することにより、その姿勢を変更可能に設けられている一方、
前記糸切り手段の姿勢を検知するための検知手段と、前記検知手段により前記糸切り手段の姿勢を判断するとともに、その判断結果にもとづいて所定の不正検知制御を実行する制御手段とが設けられており、
通常姿勢にある前記糸切り手段に前記糸状部材が干渉することにより、前記糸切り手段が回動して前記通常姿勢から検知姿勢へと姿勢を変更すると、前記制御手段は、前記検知手段による検知結果にもとづいて前記糸切り手段が前記検知姿勢にあると判断し、前記糸切り手段が前記検知姿勢となったまま所定時間が経過すると前記不正検知制御を実行することを特徴とする遊技機。
【請求項２】
前記制御手段は、前記不正検知制御として、前記発射手段の駆動を停止することを特徴とする請求項１に記載の遊技機。
【手続補正２】
【補正対象書類名】明細書
【補正対象項目名】０００６
【補正方法】変更
【補正の内容】
【０００６】
上記目的を達成するために、本発明のうち請求項１に記載の発明は、ハンドルと、前記ハンドルの操作に応じて遊技球が流下可能な遊技領域内へ遊技球を打ち込むための発射手段とが設けられているとともに、前記発射手段の近傍で、遊技球の発射方向での下流側となる位置に、糸状部材が付着された遊技球が前記発射手段から発射された際、前記糸状部材と自身との摩擦により前記糸状部材を切断する糸切り手段が設けられた遊技機であって、前記糸切り手段が、前後方向を軸として回動することにより、その姿勢を変更可能に設けられている一方、前記糸切り手段の姿勢を検知するための検知手段と、前記検知手段により前記糸切り手段の姿勢を判断するとともに、その判断結果にもとづいて所定の不正検知制御を実行する制御手段とが設けられており、通常姿勢にある前記糸切り手段に前記糸状部材が干渉することにより、前記糸切り手段が回動して前記通常姿勢から検知姿勢へと姿勢を変更すると、前記制御手段は、前記検知手段による検知結果にもとづいて前記糸切り手段が前記検知姿勢にあると判断し、前記糸切り手段が前記検知姿勢となったまま所定時間が経過すると前記不正検知制御を実行することを特徴とする。
請求項２に記載の発明は、請求項１に記載の発明において、前記制御手段は、前記不正検知制御として、前記発射手段の駆動を停止することを特徴とする。
なお、上記請求項１又は２に記載の発明において、前記制御手段は、前記不正検知制御として、遊技機外へ不正検知信号を出力するという第１の構成を採用することも考えられる。
また、上記請求項１又は２に記載の発明や、第１の構成を採用したものにおいて、表示手段が設けられており、前記制御手段は、前記不正検知制御として、前記表示手段に所定のメッセージを表示するという第２の構成を採用することも考えられる。
さらに、上記請求項１又は２に記載の発明や、第１の構成を採用したもの、第２の構成を採用したもの、第１の構成及び第２の構成を採用したものにおいて、前記通常姿勢にある前記糸切り手段に接触し、前記糸切り手段を前記通常姿勢で保持する第１の保持部と、前記検知姿勢にある前記糸切り手段に接触し、前記糸切り手段を前記検知姿勢で保持する第２の保持部とを有する保持手段が設けられており、前記通常姿勢にある前記糸切り手段に前記糸状部材が干渉することにより、前記糸切り手段が前記第１の保持部による保持力に抗して回動し、前記通常姿勢から前記検知姿勢へと姿勢を変更すると、前記第２の保持部が前記糸切り手段を前記検知姿勢のまま保持するという第３の構成を採用することも考えられる。そして、第３の構成を採用することで、不用意な振動によって糸切り手段が姿勢変更してしまうような誤作動を防止することができるとともに、不正行為が行われた場合には、その事実をより確実に検知することができるという効果を奏することができる。
【手続補正３】
【補正対象書類名】明細書
【補正対象項目名】０００７
【補正方法】変更
【補正の内容】
【０００７】
本発明によれば、遊技球に付着された糸状部材を切断するための糸切り手段を、前後方向を軸として回動することにより、その姿勢を変更可能に設ける一方、糸切り手段の姿勢を検知するための検知手段と、検知手段により糸切り手段の姿勢を判断するとともに、その判断結果にもとづいて所定の不正検知制御を実行する制御手段とを設けている。そして、通常姿勢にある糸切り手段に糸状部材が干渉することにより、糸切り手段が回動して通常姿勢から検知姿勢へと姿勢を変更すると、制御手段が、検知手段による検知結果にもとづいて糸切り手段が検知姿勢にあると判断するようになっている。したがって、たとえば遊技ホール側が、糸状部材を用いた不正行為が行われたという事実を把握できる。さらに、鉄線等の切断不可能な糸状部材を使用したとしても、糸状部材を用いた不正行為が行われたという事実は把握されることになるため、不正行為を抑止効果をも期待することができる。
また、制御手段は、糸切り手段が検知姿勢となったまま所定時間が経過すると不正検知制御を実行する。したがって、たとえば不用意な振動等によって糸切り手段が瞬間的に検知姿勢をとったとしても不正検知制御を実行しないため、高い精度で不正行為が行われた事実を検知することができる。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
建築物の仕切り壁に形成された開口部を貫通し前記開口部の内面に対応して前記仕切り壁の一側から他側に及ぶ連通領域を内部に有する筒状貫通部材と、前記筒状貫通部材の内部で前記筒状貫通部材の軸線に沿い前記連通領域を通って延在する内在伸延部材を備え、前記連通領域において前記内在伸延部材の外周面と前記筒状貫通部材の内周面との間を封塞し前記仕切り壁の一側から他側への連通を阻止する仕切りを設けたことを特徴とする区画貫通部の耐火構造。
【請求項２】
前記仕切りは、仕切り固定金具によって前記筒状貫通部材に固定されたことを特徴とする請求項１に記載の区画貫通部の耐火構造。
【請求項３】
前記筒状貫通部材をバスダクトで構成し、前記内在伸延部材としてバスバーを設けたことを特徴とする請求項１または請求項２に記載の区画貫通部の耐火構造。
【請求項４】
前記筒状貫通部材の剛性を向上させる補強具を、前記仕切り壁の一側面および他側面の少なくとも一方に対応して前記筒状貫通部材の外周面および内周面の少なくとも一方に設けたことを特徴とする請求項１から請求項３までの何れか１項に記載の区画貫通部の耐火構造。
【請求項５】
前記筒状貫通部材の外周面に耐火用熱膨張性部材を設置し、前記仕切り壁に固定された固定具と前記筒状貫通部材の外周面との間で前記耐火用熱膨張性部材を圧接挟持したことを特徴とする請求項１から請求項４までの何れか１項に記載の区画貫通部の耐火構造。
【請求項６】
前記筒状貫通部材の外周に耐火用シートを設置し、前記耐火用シートの一端部を前記筒状貫通部材に固定するとともに、前記耐火用シートの他端部を前記仕切り壁の側面に固定したことを特徴とする請求項１から請求項５までの何れか１項に記載の区画貫通部の耐火構造。
【請求項７】
前記筒状貫通部材の剛性を向上させる補強具を、前記筒状貫通部材の内周面に設けたことを特徴とする請求項１から請求項６までの何れか１項に記載の区画貫通部の耐火構造。
【請求項８】
前記筒状貫通部材の剛性を向上させる補強具を、封塞部材の取付具と兼用させたことを特徴とする請求項１から請求項７までの何れか１項に記載の区画貫通部の耐火構造。
【請求項９】
前記仕切り壁に固定され前記筒状貫通部材の外周面との間で前記耐火用熱膨張性部材を圧接挟持する固定具に前記筒状貫通部材の外周面に接合する補強部を設け、前記耐火用熱膨張性部材の固定具を、前記筒状貫通部材の剛性を向上させる補強具としたことを特徴とする請求項５に記載の区画貫通部の耐火構造。
【請求項１０】
前記耐火用シートの一端部を前記筒状貫通部材に固定する固定具に前記筒状貫通部材の外周面に接合する補強部を設け、前記耐火用シートの固定具を、前記筒状貫通部材の剛性を向上させる補強具としたことを特徴とする請求項６に記載の区画貫通部の耐火構造。
【請求項１１】
前記筒状貫通部材に内在する連通領域を点検するためのフランジ構造の点検口を設けたことを特徴とする請求項１から請求項１０までの何れか１項に記載の区画貫通部の耐火構造。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
円筒状外側部材と、該円筒状外側部材から径方向外方の第１方向、該第１方向と異なる第２方向並びに該第１方向及び該第２方向に交差する第３方向にそれぞれ突出する第１〜第３管とを有する本体と、
外周面が前記円筒状外側部材の内周面に対して間隔を有するように前記円筒状外側部材の内側に配置され、該円筒状外側部材と一方の側の端部同士が固定された円柱状中央部材と、
前記円筒状外側部材と前記円柱状中央部材との空間においてこれらに対して密接しながら周方向に回転し得るように配置された円筒状回転部材、及び該円筒状回転部材を回転させるためのハンドルを有する回転部と備え、
前記第１〜第３管は、前記円筒状外側部材に形成された第１〜第３開口部をそれぞれ経由して前記円筒状外側部材の内周面に開口しており、
前記円柱状中央部材は、前記第１開口部及び前記第３開口部にそれぞれ対峙する位置に第１流路端部及び第２流路端部を有する第１内部流路と、前記第３開口部及び前記第２開口部にそれぞれ対峙する位置に第３流路端部及び第４流路端部を有する第２内部流路とを有し、
前記円筒状回転部材は、前記円筒状外側部材に対する該円筒状回転部材の回転角度が第１角度であるときに、前記第１開口部と前記第１流路端部との接続、前記第２開口部と前記第４流路端部との接続、並びに前記第３開口部と前記第２流路端部及び前記第３流路端部との接続をそれぞれ行う第１〜第３接続孔を有し、前記回転角度が第２角度であるときには前記第１〜第３開口部を閉塞するものであることを特徴とする三方活栓。
【請求項２】
前記第３開口部は、前記第１内部流路の第２流路端部に対峙する第１流路側開口部と、前記第２内部流路の第３流路端部に対峙する第２流路側開口部とで構成され、
前記第３接続孔は、前記円筒状回転部材の回転角度が前記第１角度であるときに前記第１流路側開口部に接続する第１流路側接続孔と、前記第２流路側開口部に接続する第２流路側接続孔とで構成されることを特徴とする請求項１に記載の三方活栓。
【請求項３】
前記第１内部流路は、前記第１流路端部から前記円柱状中央部材の径方向内方に進み、曲折して径方向外方に進んで前記第２流路端部に達するＬ字状の流路で構成され、
前記第２内部流路は、前記第４流路端部から前記円柱状中央部材の径方向内方に進み、曲折して径方向外方に進んで前記第３流路端部に達するＬ字状の流路で構成され、
前記第２流路端部と前記第３流路端部とは、前記円柱状中央部材に設けられた連通部を経て相互に通じており、
前記円筒状回転部材の回転角度が第３角度であるとき、前記第１接続孔及び前記第２接続孔は、それぞれ前記第２開口部と前記第４流路端部との接続及び前記第１開口部と前記第１流路端部との接続を行うものであることを特徴とする請求項１又は２に記載の三方活栓。
【請求項４】
前記第１内部流路及び前記第２内部流路は、前記円柱状中央部材の外周面に設けられた溝状の流路により構成されることを特徴とする請求項１又は２に記載の三方活栓。
【手続補正２】
【補正対象書類名】明細書
【補正対象項目名】００１４
【補正方法】変更
【補正の内容】
【００１４】
第３発明に係る三方活栓は、第１又は第２発明において、
前記第１内部流路は、前記第１流路端部から前記円柱状中央部材の径方向内方に進み、曲折して径方向外方に進んで前記第２流路端部に達するＬ字状の流路で構成され、
前記第２内部流路は、前記第４流路端部から前記円柱状中央部材の径方向内方に進み、曲折して径方向外方に進んで前記第３流路端部に達するＬ字状の流路で構成され、
前記第２流路端部と前記第３流路端部とは、前記円柱状中央部材に設けられた連通部を経て相互に通じており、
前記円筒状回転部材の回転角度が第３角度であるとき、前記第１接続孔及び前記第２接続孔は、それぞれ前記第２開口部と前記第４流路端部との接続及び前記第１開口部と前記第１流路端部との接続を行うものであることを特徴とする。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
複数の演出要素が取得可能であって取得された前記演出要素が表示部に表示される第１演出と、前記第１演出で取得された前記演出要素に対応する第２演出とが、続けて実行される遊技機であって、
前記表示部の隣に配置され、前記複数の演出要素に対応付けられた複数の点灯部と、
前記第１演出の実行中に、前記演出要素の取得に起因し、取得された前記演出要素に対応する前記点灯部を他の前記点灯部と区別可能に制御する点灯制御手段と、を備え、
前記第１演出では、
取得された前記演出要素は、前記表示部の中央部に表示された後、移動して前記表示部の所定の領域に表示され、
取得された前記演出要素が前記表示部の中央部に表示されたときに、前記第２演出の内容を示唆する予告要素を重ねて表示可能となっていて、前記予告要素は取得された前記演出要素に重ねられた状態で前記所定の領域に移動する遊技機。
【手続補正２】
【補正対象書類名】明細書
【補正対象項目名】０００６
【補正方法】変更
【補正の内容】
【０００６】
第１の手段は、複数の演出要素が取得可能であって取得された前記演出要素が表示部に表示される第１演出と、前記第１演出で取得された前記演出要素に対応する第２演出とが、続けて実行される遊技機であって、前記表示部の隣に配置され、前記複数の演出要素に対応付けられた複数の点灯部と、前記第１演出の実行中に、前記演出要素の取得に起因し、取得された前記演出要素に対応する前記点灯部を他の前記点灯部と区別可能に制御する点灯制御手段と、を備え、前記第１演出では、取得された前記演出要素は、前記表示部の中央部に表示された後、移動して前記表示部の所定の領域に表示され、取得された前記演出要素が前記表示部の中央部に表示されたときに、前記第２演出の内容を示唆する予告要素を重ねて表示可能となっていて、前記予告要素は取得された前記演出要素に重ねられた状態で前記所定の領域に移動する遊技機である。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
大当たり又は小当たりであるかの当たり判定を実行可能な遊技制御手段と、
演出を制御可能な演出制御手段と、を備える遊技機において、
前記遊技制御手段は、
前記当たり判定の結果を示す識別図柄を変動表示を経て停止表示可能であり、
前記当たり判定を所定の上限数だけ保留することが可能であり、
前記識別図柄が小当たり当選を示す小当たり図柄で停止表示された場合に、小当たり遊技を実行可能であり、
非時短状態よりも前記識別図柄の変動表示の時間が短くなり易い時短状態に制御可能であり、
前記時短状態に制御されてから前記当たり判定で小当たりと判定された回数が規定回数に至る特別終了条件の成立に基づいて、前記非時短状態に制御可能であり、
前記特別終了条件の成立に基づいて前記非時短状態に制御されてから前記識別図柄の変動表示の回数が前記所定の上限数以下である場合には、所定の第１決定基準に基づいて前記識別図柄の変動パターンを決定可能であり、
前記特別終了条件の成立に基づいて前記非時短状態に制御されてから前記識別図柄の変動表示の回数が前記所定の上限数を超える場合には、所定の第２決定基準に基づいて前記識別図柄の変動パターンを決定可能であり、
前記演出制御手段は、
前記所定の第１決定基準に基づいて決定された前記識別図柄の変動パターンにより特殊演出を実行可能である一方、
前記所定の第２決定基準に基づいて決定された前記識別図柄の変動パターンにより前記特殊演出を実行しないことを特徴とする遊技機。
【手続補正２】
【補正対象書類名】明細書
【補正対象項目名】０００７
【補正方法】変更
【補正の内容】
【０００７】
本発明の遊技機は、
大当たり又は小当たりであるかの当たり判定を実行可能な遊技制御手段と、
演出を制御可能な演出制御手段と、を備える遊技機において、
前記遊技制御手段は、
前記当たり判定の結果を示す識別図柄を変動表示を経て停止表示可能であり、
前記当たり判定を所定の上限数だけ保留することが可能であり、
前記識別図柄が小当たり当選を示す小当たり図柄で停止表示された場合に、小当たり遊技を実行可能であり、
非時短状態よりも前記識別図柄の変動表示の時間が短くなり易い時短状態に制御可能であり、
前記時短状態に制御されてから前記当たり判定で小当たりと判定された回数が規定回数に至る特別終了条件の成立に基づいて、前記非時短状態に制御可能であり、
前記特別終了条件の成立に基づいて前記非時短状態に制御されてから前記識別図柄の変動表示の回数が前記所定の上限数以下である場合には、所定の第１決定基準に基づいて前記識別図柄の変動パターンを決定可能であり、
前記特別終了条件の成立に基づいて前記非時短状態に制御されてから前記識別図柄の変動表示の回数が前記所定の上限数を超える場合には、所定の第２決定基準に基づいて前記識別図柄の変動パターンを決定可能であり、
前記演出制御手段は、
前記所定の第１決定基準に基づいて決定された前記識別図柄の変動パターンにより特殊演出を実行可能である一方、
前記所定の第２決定基準に基づいて決定された前記識別図柄の変動パターンにより前記特殊演出を実行しないことを特徴とする遊技機である。